(57)【要約】      （修正有）【課題】簡単な構造でありながらホースを回転自在で且つ抜け不能に接続する。【解決手段】ニップル１の外周面が挿入されたホースＨの接続端部Ｈ１を、押え筒２に挿入して押え筒２で径方向へ締め付けることにより、ホースＨの接続端部Ｈ１が圧縮変形して先端面Ｈ２の外周部分が収容凹部１ｃへ向けてはみ出たとしても、収容凹部１ｂの外側が押え筒２で覆われるため、ホースＨのはみ出したビード部Ｈ３が接続筒体３へ向けて飛び出さず、接続筒体３との接触が防止される。【選択図】図１
2012122533.tif 000002
【特許請求の範囲】
【請求項１】
ホースの接続端部に挿入されるニップルと、このニップルの外周面が前記ホースを挟んで挿入されるホース締め付け用の押え筒と、前記ニップル及び前記押え筒の外側に回転自在に設けられて該押え筒の係止縁と軸線方向へ移動不能に係合する接続筒体とを備え、
前記ニップルは、該ニップルの外周面が挿入された前記ホースの先端面と対向するように突出する第１ストッパー部と、この第１ストッパー部の外周に前記ホースの先端面の外周部分と対向するように形成される環状の収容凹部とを有し、
前記押え筒は、前記収容凹部の外側を覆うように配置されることを特徴とするホース接続具。
【請求項２】
前記収容凹部のホース挿入方向下流側には、前記押え筒の先端縁と対向する第２ストッパー部を形成し、
前記押え筒は、前記先端縁が前記第２ストッパー部に当接して前記収容凹部の外側全部を覆うように配置されることを特徴とする請求項１記載のホース接続具。
【請求項３】
請求項１又は２記載のホース接続具と、該ホース接続具が前記ホースとなるシャワーホースを介して接続される吐水器具或いは給水金具とからなるシャワーホース用継手構造であって、
前記ホース接続具の前記接続筒体を、前記吐水器具又は前記給水金具のいずれか一方に取り付けるか、若しくは前記吐水器具及び前記給水金具の両方にそれぞれ取り付けたことを特徴とするシャワーホース用継手構造。
【発明の詳細な説明】
【技術分野】
【０００１】
本発明は、ホースの一端部を回転自在で且つ抜け不能に接続するために用いられるホース接続具、及び、このホース接続具と、例えばシャワーヘッドなどの吐水器具や、給水栓又は湯水混合栓などの給水金具とを接続する際などに用いられるシャワーホース用継手構造に関する。
【背景技術】
【０００２】
従来、この種のホース接続具及びシャワーホース用継手構造として、予めホースを押え筒に挿通し、このホースの接続端部の内周にニップルの竹の子状部を差し込み、ホースの接続端部の外周へ押え筒を強制的に移動して嵌挿することにより、ニップルにホースの接続端部を挟んで押え筒が挿着され、その後、これらホースの接続端部及びの押え筒を接続筒体内へ挿入して、該接続筒体の内周面に凹設された環状凹部と、押え筒の拡径部とを当接係合させることにより、これらホース接続端部及び押え筒を、シャワーヘッドなどの吐水器具が螺着される接続筒体に対して回転自在に抜け止めしたものがある（例えば、特許文献１参照）。
【先行技術文献】
【特許文献】
【０００３】
【特許文献１】特開２００５−３５１４７４号公報
【発明の概要】
【発明が解決しようとする課題】
【０００４】
しかし乍ら、このような従来のホース接続具及びシャワーホース用継手構造では、ニップルが挿入されたホースの接続端部を押え筒に嵌挿するが、ニップルに対するホースの挿入不足により、ホースの先端面とニップルの環状凸部との間に隙間が発生すると、ホースの接続強度が不足してホースが抜け易いという問題があった。
これを防止するために、ホースに対してニップルを環状凸部がホースの先端面に当接する位置又は限りなく接近する位置まで挿入してから、押え筒に嵌挿して相互を摺動させると、押え筒の内周面でホースの外周面が扱かれるため、ホースの先端部分がニップルの環状凸部と押え筒の隙間からはみ出すことがある。このはみ出し部分が接続筒体の内周面に接触すると、接続筒体に対しホースが回転不能又は著しく回転し難くなるという問題があった。
特に、ホースの肉厚寸法にバラツキ、詳しくは周方向に偏肉がある場合に、ホースのはみ出しが顕著に現れる。
さらに、このようなホースが回転不能又は著しく回転し難い状態で、使用者がホースを無理に回転させると、その力でホースが捻れ変形して、ホース内を通る流体の通過流量が減少したり、ホース破損の原因となるおそれがあった。
【０００５】
本発明は、このような問題に対処することを課題とするものであり、簡単な構造でありながらホースを回転自在で且つ抜け不能に接続可能なホース接続具を提供すること、吐水器具や給水金具に対してシャワーホースを回転自在で且つ抜け不能に接続可能なシャワーホース用継手構造を提供すること、などを目的とするものである。
【課題を解決するための手段】
【０００６】
このような目的を達成するために本発明によるホース接続具は、ホースの接続端部に挿入されるニップルと、このニップルの外周面が前記ホースを挟んで挿入されるホース締め付け用の押え筒と、前記ニップル及び前記押え筒の外側に回転自在に設けられて該押え筒の係止縁と軸線方向へ移動不能に係合する接続筒体とを備え、前記ニップルは、該ニップルの外周面が挿入された前記ホースの先端面と対向するように突出する第１ストッパー部と、この第１ストッパー部の外周に前記ホースの先端面の外周部分と対向するように形成される環状の収容凹部とを有し、前記押え筒は、前記収容凹部の外側を覆うように配置されることを特徴とする。
【０００７】
また本発明によるシャワーホース用継手構造は、前記ホース接続具と、該ホース接続具が前記ホースとなるシャワーホースを介して接続される吐水器具或いは給水金具とからなるシャワーホース用継手構造であって、前記ホース接続具の前記接続筒体を、前記吐水器具又は前記給水金具のいずれか一方に取り付けるか、若しくは前記吐水器具及び前記給水金具の両方にそれぞれ取り付けたことを特徴とする。
【発明の効果】
【０００８】
前述した特徴を有する本発明によるホース接続具は、ニップルの外周面が挿入されたホースの接続端部を、押え筒に挿入して押え筒で径方向へ締め付けることにより、ホースの接続端部が圧縮変形して先端面の外周部分が収容凹部へ向けてはみ出たとしても、収容凹部の外側が押え筒で覆われるため、ホースのはみ出したビード部が接続筒体へ向けて飛び出さず、接続筒体との接触が防止されるので、簡単な構造でありながらホースを回転自在で且つ抜け不能に接続することができる。
その結果、ホースのはみ出しにより接続筒体に接触して回転不能となる従来のものに比べ、ホースのはみ出しによる回転不良が発生せず、ホースを回転させても捻れ変形しないため、ホース内を通る流体の流量減少やホースの破損を防止できる。
【０００９】
また、前述した特徴を有する本発明によるシャワーホース用継手構造は、ホース接続具のニップルが挿入されたホースとなるシャワーホースの接続端部を、押え筒に挿入して押え筒で径方向へ締め付けることにより、シャワーホースの接続端部が圧縮変形して先端面の外周部分が収容凹部へ向けてはみ出たとしても、収容凹部の外側が押え筒で覆われるため、シャワーホースのはみ出したビード部が接続筒体へ向けて飛び出さず、接続筒体との接触が防止されるので、吐水器具や給水金具に対してシャワーホースを回転自在で且つ抜け不能に接続することができる。
その結果、シャワーホースのはみ出しにより接続筒体に接触して回転不能となる従来のものに比べ、シャワーホースを回転させても捻れ変形せず、シャワーホース内を通る流体の流量減少やシャワーホースの破損を防止できる。
【図面の簡単な説明】
【００１０】
【図１】本発明の実施形態に係るホース接続具を示す説明図であり、（ａ）がホースを接続した状態の縦断正面図、（ｂ）がホースをセットする状態の縮小縦断正面図である。
【図２】本発明の実施形態に係るシャワーホース用継手構造の全体構成を示す縮小縦断正面図である。
【発明を実施するための形態】
【００１１】
以下、本発明の実施形態を図面に基づいて詳細に説明する。
本発明の実施形態に係るホース接続具Ａは、図１（ａ）（ｂ）に示すように、ホースＨの接続端部Ｈ１に挿入されて接続端部Ｈ１の内周面と対向するように設けられるニップル１と、ニップル１の外周面がホースＨを挟んで挿入される締め付け用の押え筒２と、ニップル１及び押え筒２の外側に回転自在に設けられて押え筒２の一端に形成される係止縁２ａと軸線方向へ移動不能に係合する接続筒体３を、主要な構成要素として備えている。
【００１２】
ニップル１は、金属や硬質合成樹脂などの剛性材料で円筒状に形成され、その軸線方向一端側の外周面がホースＨの接続端部Ｈ１の内周面に沿って挿入され、この外周面には、挿入されたホースＨの先端面Ｈ２と対向するように突出する第１ストッパー部１ａと、第１ストッパー部１ａの外周においてホースＨの先端面Ｈ２の外周部分と対向するように形成される環状の収容凹部１ｂを有している。
さらに、収容凹部１ｂにおいてホースＨが挿入される方向（以下、ホース挿入方向という）下流側の面には、押え筒２の先端縁２ｂと対向する第２ストッパー部１ｃを形成することが好ましい。
つまり、ニップル１の外周面には、その軸線方向中間部に環状凸部１ｄが突設され、環状凸部１ｄの軸線方向一端面を第１ストッパー部１ａとし、第１ストッパー部１ａよりホース挿入方向下流側に、環状の収容凹部１ｂを凹設している。
また、ニップル１の軸線方向一端側の外周面には、その外径がホースＨの内径よりも若干大径なホース挿入部１ｅを形成し、ホース挿入部１ｅの挿入によりホースＨの接続端部Ｈ１を膨張変形させることで係止している。
【００１３】
押え筒２は、金属や合成樹脂などの剛性材料又は変形可能な材料で円筒状に形成され、ニップル１のホース挿入部１ｅが挿入されたホースＨの接続端部Ｈ１を押え筒２に挿入して押え筒２で径方向へ締め付けることにより、ホースＨの接続端部Ｈ１の内周面をホース挿入部１ｅの外周面に密接させると同時に、ホースＨの接続端部Ｈ１をホース挿入部１ｅに対して軸線方向へ位置ズレ不能に固定させている。
その具体例としては、押え筒２の内径が予めホースＨの外径と略同じに形成され、その内周に対し、ニップル１のホース挿入部１ｅが挿入されたホースＨの接続端部Ｈ１を、工具や手動などでホース挿入方向へ挿入するとともに、押え筒２を同方向へ強制的に移動させて嵌挿することにより、ホースＨの接続端部Ｈ１をホース挿入方向へ扱きながらホースＨの接続端部Ｈ１の外周面に沿って押え筒２をホース挿入方向へ摺接移動させ、それに伴ってホースＨの接続端部Ｈ１の内周面がホース挿入部１ｅの外周面に密接するように構成する。
また、その他の例としては図示しないが、押え筒２の内径がホースＨの外径と略同じ又はそれよりも大径に形成され、ニップル１のホース挿入部１ｅが挿入されたホースＨの接続端部Ｈ１を、押え筒２に挿入した後、工具などでカシメ加工して縮径変形させることにより、ホースＨの接続端部Ｈ１の内周面がホース挿入部１ｅの外周面に密接するように構成することも可能である。
【００１４】
さらに、押え筒２は、その軸線方向の一端に接続筒体３と軸線方向へ移動不能に係合する係止縁２ａを形成し、他端に第２ストッパー部１ｃと対向する先端縁２ｂを形成し、ホースＨの接続端部Ｈ１が挿入されることで、収容凹部１ｂの外側を覆うように配置される。
詳しくは、押え筒２の先端縁２ｂを第２ストッパー部１ｃに接近させて、収容凹部１ｂの外側のほとんどを覆うことにより、収容凹部１ｂと接続筒体３の内周空間３ｓとが押え筒２で仕切られるように配置される。また、図示例のように、押え筒２の先端縁２ｂを第２ストッパー部１ｃに当接させて、収容凹部１ｂの外側全部を覆うことも可能である。
押え筒２の一端部及び他端部のいずれか一方又は両方は、図示例のように、円筒状に形成される軸線方向中間部２ｃから係止縁２ａ或いは先端縁２ｂに向かって徐々に拡径するように傾斜させることにより、ホースＨの先端面Ｈ２の外周縁がスムーズに入り込むようにすることが好ましい。
【００１５】
接続筒体３は、金属や硬質合成樹脂などの剛性材料で略円筒状に形成され、その軸線方向の一端側の内径を、ニップル１の環状凸部１ｄ及び押え筒２の外径よりも大径に設定するとともに、他端側の内径を押え筒２の外径よりも小径に設定している。
つまり、接続筒体３の内周面には、ニップル１の環状凸部１ｄが遊嵌状に入り込む環状凹部３ａを凹設し、環状凹部３ａには、押え筒２の係止縁２ａと対向する環状の係止段部３ｂが形成され、係止段部３ｂに押え筒２の係止縁２ａを突き当てることで、押え筒２がホース挿入方向と逆向き（ホース挿入方向上流側）へ移動不能で且つ回動自在に係止されている。
さらに、接続筒体３の軸線方向の一端側には、後述するシャワーヘッドなどの吐水器具Ｂや、給水栓や湯水混合栓などの給水金具Ｃなどに対して着脱自在に接合する接続部３ｃが形成されている。
【００１６】
一方、ホースＨは、図示例のような単層構造のものや、内層と外層との間に補強層としてブレード（補強糸）を螺旋状に巻き付け一体化した積層ホース（ブレードホース）や、不透明な内層と透明な外層との間に補強材として、少なくとも表面が金属色に光る断面矩形の帯状補強材と断面円形の線状補強材を螺旋状に巻き付けて一体化した螺旋補強ホース（フォーランホース）や、金属色に光る帯状材を有する補強体が螺旋状に巻着され、その外側全体に透明又は半透明な筒状層を被着して帯状材の金属色を外から透視可能にしたメタル調ホースなどが用いられる。
【００１７】
このような本発明の実施形態に係るホース接続具Ａによると、図１（ｂ）に示されるように、ニップル１の外周面（ホース挿入部１ｅ）がホースＨの接続端部Ｈ１に挿入されて、その先端面Ｈ２を第１ストッパー部１ａに対して限りなく接近させるか又は当接させる。
このホース挿入状態で、ニップル１の外周面（ホース挿入部１ｅ）が挿入されたホースＨの接続端部Ｈ１の外側を、押え筒２に挿入して押え筒２で径方向へ締め付けると、ホースＨの接続端部Ｈ１が圧縮変形して、ホースＨの先端面Ｈ２の外周部分が収容凹部１ｃへ向けてはみ出ることがある。
【００１８】
このようにホースＨの先端面Ｈ２の外周部分がビード部Ｈ３となって収容凹部１ｃへはみ出たとしても、収容凹部１ｂと接続筒体３の内周空間３ｓが押え筒２で仕切られるため、ホースＨのはみ出したビード部Ｈ３が接続筒体３の内周空間３ｓへ向けて飛び出さず、接続筒体３との接触が防止される。
それにより、接続筒体３に対してホースＨを回転自在で且つ抜け不能に接続することができる。
その結果、ホースＨのはみ出しによる回転不良が発生せず、ホースＨを回転させても捻れ変形しないから、ホースＨ内を通る流体の流量減少やホースの破損を防止できる。
【００１９】
特に、押え筒２の先端縁２ｂを第２ストッパー部１ｃに当接させて収容凹部１ｂの外側全部を覆うように配置した場合には、押え筒２で収容凹部１ｂと接続筒体３の内周空間３ｓとが完全に仕切られる。
それにより、ホースＨのはみ出したビード部Ｈ３が接続筒体３の内周空間３ｓへ飛び出すことを完全防止することができる。
その結果、ホースのはみ出しによる回転不良が全く発生しない。
【００２０】
そして、本発明の実施形態に係るシャワーホース用継手構造は、図２に示すように、前述したホース接続具Ａと、ホース接続具ＡがホースＨとなるシャワーホースを介して接続される例えばシャワーヘッドなどの吐水器具Ｂ或いは例えば給水栓や湯水混合栓などの給水金具Ｃとから構成される。
ホース接続具Ａは、１つ用意され、その接続筒体３の接続部３ｃを、吐水器具Ｂ又は給水金具Ｃのいずれか一方のみに取り付けるか、若しくは２つ用意され、これら接続筒体３の接続部３ｃを、吐水器具Ｂ及び給水金具Ｃの両方にそれぞれ取り付けている。
【００２１】
このような本発明の実施形態に係るシャワーホース用継手構造によると、ホース接続具Ａのニップル１の外周面（ホース挿入部１ｅ）が挿入されたホースＨとなるシャワーホースの接続端部Ｈ１を、押え筒２に挿入して押え筒２で径方向へ締め付けると、シャワーホースの接続端部Ｈ１が圧縮変形して先端面Ｈ２の外周部分が収容凹部１ｃへ向けはみ出たとしても、収容凹部１ｂの外側が押え筒２で覆われるため、シャワーホースのはみ出したビード部Ｈ３が接続筒体３へ向けて飛び出さず、接続筒体３との接触が防止される。
それにより、吐水器具Ｂや給水金具Ｃに対してシャワーホースを回転自在で且つ抜け不能に接続することができる。
次に、本発明の一実施例を図面に基づいて説明する。
【実施例】
【００２２】
この実施例は、図１（ａ）（ｂ）に示すように、ニップル１のホース挿入部１ｅが挿入されたホースＨの接続端部Ｈ１を、その内径がホースＨの外径と略同じに形成された押え筒２に、工具などでホース挿入方向へ嵌挿させることにより、ホースＨの接続端部Ｈ１をホース挿入方向へ扱きながらホースＨの接続端部Ｈ１の外周面に沿って押え筒２をホース挿入方向へ摺接移動させる場合を示すものである。
【００２３】
図１（ａ）（ｂ）に示される例では、ホースＨの接続端部Ｈ１に挿入されるホース挿入部１ｅとして、ニップル１の外周面を竹の子状に形成することにより、ホースＨの接続端部Ｈ１の内周面に対して軸線方向へ引っ掛かって抜け難くなるようにしている。
環状凸部１ｄよりホース挿入方向下流端には、例えばＵパッキンなどのシール材Ｓ１を収納するための凹条部１ｆが凹設されている。
また、その他の例として図示しないが、ニップル１の外周面とホースＨの接続端部Ｈ１の内周面との間に、例えばＯパッキンなどのシール材を介装したり、竹の子状部１ｅに代えて別形状の係止部を形成することも可能である。
【００２４】
さらに、図１（ａ）（ｂ）に示される例では、押え筒２の一端部及び他端部の両方を、係止縁２ａ或いは先端縁２ｂに向かって徐々に拡径するように傾斜させることで、係止縁２ａ及び先端縁２ｂのどちらからでもホースＨの先端面Ｈ２の外周縁がスムーズに入り込むようにしている。
また、その他の例として図示しないが、押え筒２の一端部及び他端部のいずれか一方のみを、係止縁２ａ或いは先端縁２ｂに向かって徐々に拡径するように傾斜させたり、押え筒２の一端部及び他端部の両方を、軸線方向中間部２ｃと連続する円筒状に形成することも可能である。
【００２５】
さらに、図１（ａ）（ｂ）に示される例では、環状凹部３ａよりホース挿入方向下流端には、ニップル１の凹条部１ｆに収納されたＵパッキンなどのシール材Ｓ１と摺動自在に密接する凹溝部３ｄが形成されている。
また、その他の例として図示しないが、凹溝部３ｄを形成せずに、環状凹部３ａに対してシール材Ｓ１を摺動自在に密接させることも可能である。
【００２６】
図２に示される例では、ホース接続具Ａが２つ用意され、これら接続筒体３の接続部３ｃとして内ネジを形成しており、シャワーヘッドなどの吐水器具Ｂの端部外周面に刻設された外ネジ部Ｂ１と、給水栓や湯水混合栓などの給水金具Ｃの端部外周面に刻設された外ネジ部Ｃ１に、接続筒体３の接続部３ｃとなる内ネジをそれぞれ螺合させることで、ホースＨとなるシャワーホースの両端の接続端部Ｈ１が、吐水器具Ｂ及び給水金具Ｃの両方にそれぞれ着脱自在に連結されている。
さらに、接続筒体３と吐水器具Ｂの間や、接続筒体３と給水金具Ｃの間には、例えば平パッキンなどのシール材Ｓ２を挟み込んで密閉している。
また、その他の例として図示しないが、接続筒体３の接続部３ｃとしてネジ以外の連結手段を用いたり、ホース接続具Ａを１つのみ用意して、シャワーヘッドなどの吐水器具Ｂ又は給水栓や湯水混合栓などの給水金具Ｃのいずれか一方のみに、ホースＨとなるシャワーホースの一端部を着脱自在に連結することも可能である。
【００２７】
このような本発明の実施例に係るホース接続具Ａ及びシャワーホース用継手構造によると、図１（ｂ）に示されるように、ニップル１のホース挿入部１ｅがホースＨの接続端部Ｈ１に挿入されて、その先端面Ｈ２を第１ストッパー部１ａに対してある程度接近させるか又は当接させる。
このホース挿入状態で、押え筒２をホース挿入方向へ移動させ、ニップル１のホース挿入部１ｅが挿入されたホースＨの接続端部Ｈ１を押え筒２の内周に挿入し、更に押え筒２を同方向へ強制的に移動させて嵌挿すると、ホースＨの接続端部Ｈ１の外周面が押え筒２で扱かれて、ホースＨの先端面Ｈ２と第１ストッパー部１ａとの間に隙間がある場合には、この隙間を埋めるようにホースＨの先端面Ｈ２が移動して、第１ストッパー部１ａに突き当たる。ホースＨの先端面Ｈ２が第１ストッパー部１ａに突き当たってからは、その後の嵌挿に伴う押え筒２の摺接移動より、ホースＨの先端面Ｈ２の外周部分が収容凹部１ｃへ向けてはみ出ることがある。
【００２８】
このようにホースＨの先端面Ｈ２の外周部分がビード部Ｈ３となって収容凹部１ｃへはみ出たとしても、その後の嵌挿に伴う押え筒２の摺接移動より先端縁２ｂが第２ストッパー部１ｃに接近して収容凹部１ｂの外側をほとんど覆う位置まで挿入（嵌挿）すると、収容凹部１ｂと接続筒体３の内周空間３ｓが押え筒２で仕切られるため、ホースＨのはみ出したビード部Ｈ３が接続筒体３の内周空間３ｓへ向けて飛び出さず、接続筒体３との接触が防止される。
それにより、接続筒体３に対してホースＨを回転自在で且つ抜け不能に接続することができるという利点がある。
【００２９】
特に、図示例のように、押え筒２の先端縁２ｂが第２ストッパー部１ｃに当接して収容凹部１ｂの外側全部を覆う位置まで挿入（嵌挿）した場合には、押え筒２で収容凹部１ｂと接続筒体３の内周空間３ｓとが完全に仕切られるので、ホースＨのはみ出したビード部Ｈ３が接続筒体３の内周空間３ｓへ飛び出すことを完全防止することができる。
それにより、ホースのはみ出しによる回転不良が全く発生しないという利点がある。
【００３０】
なお、前示実施例では、ニップル１のホース挿入部１ｅが挿入されたホースＨの接続端部Ｈ１を、内径がホースＨの外径と略同じ径の押え筒２に、工具などでホース挿入方向へ嵌挿させることにより、ホースＨの接続端部Ｈ１をホース挿入方向へ扱きながらホースＨの接続端部Ｈ１の外周面に沿って押え筒２をホース挿入方向へ摺接移動させる場合を示したが、これに限定されず、ニップル１のホース挿入部１ｅが挿入されたホースＨの接続端部Ｈ１を、押え筒２に挿入した後、工具などでカシメ加工して縮径変形させることにより、ホースＨの接続端部Ｈ１の内周面がホース挿入部１ｅの外周面に密接するように構成しても良い。
【符号の説明】
【００３１】
Ａ  ホース接続具                      １  ニップル
１ａ  第１ストッパー部                １ｂ  収容凹部
１ｃ  第２ストッパー部                ２  押え筒
２ａ  係止縁                          ２ｂ  先端縁
３  接続筒体                          Ｂ  吐水器具
Ｃ  給水金具                          Ｈ  ホース
Ｈ１  接続端部                        Ｈ２  先端面
【図１】
2012122533.tif 000003
【図２】
2012122533.tif 000004
【手続補正書】
【提出日】平成24年2月7日(2012.2.7)
【手続補正１】
【補正対象書類名】特許請求の範囲
【補正対象項目名】請求項１
【補正方法】変更
【補正の内容】
【請求項１】
膨張変形及び圧縮変形可能なホースの接続端部に挿入されるニップルと、
前記ニップルの外周面が挿入された前記ホースの前記接続端部を径方向へ締め付ける押え筒と、
前記ニップル及び前記押え筒の外側に回転自在に設けられて該押え筒の係止縁と軸線方向へ移動不能に係合する接続筒体とを備え、
前記ニップルは、該ニップルの外周面が挿入された前記ホースの先端面と対向するように突出する第１ストッパー部と、前記第１ストッパー部の外周に前記ホースの前記先端面の外周部分と対向するように形成される環状の収容凹部とを有し、
前記第１ストッパー部は、前記押え筒による前記ホースの前記接続端部の径方向へ締め付けに伴って、前記ホースの前記先端面の内周部分が突き当たるように突設され、
前記収容凹部は、前記押え筒による前記ホースの前記接続端部の径方向へ締め付けに伴って、前記ホースの前記先端面の外周部分からはみ出たビード部を収容するように凹設され、
前記押え筒は、前記押え筒による前記ホースの前記接続端部の径方向へ締め付けに伴って、前記収容凹部の外側を覆うように配置されるとともに、前記ホースの前記先端面の外周部分から前記前記ニップルの前記収容凹部へ向けはみ出た前記ビード部と、前記接続筒体の内周空間とを仕切る部位を有することを特徴とするホース接続具。
【手続補正２】
【補正対象書類名】明細書
【補正対象項目名】０００２
【補正方法】変更
【補正の内容】
【０００２】
従来、この種のホース接続具及びシャワーホース用継手構造として、予めホースを押え筒に挿通し、このホースの接続端部の内周にニップルの竹の子状部を差し込み、ホースの接続端部の外周へ押え筒を強制的に移動して嵌挿することにより、ニップルにホースの接続端部を挟んで押え筒が挿着され、その後、これらホースの接続端部及び押え筒を接続筒体内へ挿入して、該接続筒体の内周面に凹設された環状凹部と、押え筒の拡径部とを当接係合させることにより、これらホース接続端部及び押え筒を、シャワーヘッドなどの吐水器具が螺着される接続筒体に対して回転自在に抜け止めしたものがある（例えば、特許文献１参照）。
【手続補正３】
【補正対象書類名】明細書
【補正対象項目名】０００６
【補正方法】変更
【補正の内容】
【０００６】
このような目的を達成するために本発明によるホース接続具は、膨張変形及び圧縮変形可能なホースの接続端部に挿入されるニップルと、前記ニップルの外周面が挿入された前記ホースの前記接続端部を径方向へ締め付ける押え筒と、前記ニップル及び前記押え筒の外側に回転自在に設けられて該押え筒の係止縁と軸線方向へ移動不能に係合する接続筒体とを備え、前記ニップルは、該ニップルの外周面が挿入された前記ホースの先端面と対向するように突出する第１ストッパー部と、前記第１ストッパー部の外周に前記ホースの前記先端面の外周部分と対向するように形成される環状の収容凹部とを有し、前記第１ストッパー部は、前記押え筒による前記ホースの前記接続端部の径方向へ締め付けに伴って、前記ホースの前記先端面の内周部分が突き当たるように突設され、前記収容凹部は、前記押え筒による前記ホースの前記接続端部の径方向へ締め付けに伴って、前記ホースの前記先端面の外周部分からはみ出たビード部を収容するように凹設され、前記押え筒は、前記押え筒による前記ホースの前記接続端部の径方向へ締め付けに伴って、前記収容凹部の外側を覆うように配置されるとともに、前記ホースの前記先端面の外周部分から前記前記ニップルの前記収容凹部へ向けはみ出た前記ビード部と、前記接続筒体の内周空間とを仕切る部位を有することを特徴とする。
【手続補正４】
【補正対象書類名】明細書
【補正対象項目名】００１３
【補正方法】変更
【補正の内容】
【００１３】
押え筒２は、金属や合成樹脂などの剛性材料又は変形可能な材料で円筒状に形成され、ニップル１のホース挿入部１ｅが挿入されたホースＨの接続端部Ｈ１を押え筒２に挿入して押え筒２で径方向へ締め付けることにより、ホースＨの接続端部Ｈ１の内周面をホース挿入部１ｅの外周面に密接させると同時に、ホースＨの接続端部Ｈ１をホース挿入部１ｅに対して軸線方向へ位置ズレ不能に固定させている。
その具体例としては、押え筒２の内径が予めホースＨの外径と略同じに形成され、その内周に対し、ニップル１のホース挿入部１ｅが挿入されたホースＨの接続端部Ｈ１を、工具や手動などで挿入するとともに、押え筒２を強制的に移動させて嵌挿することにより、ホースＨの接続端部Ｈ１をホース挿入方向へ扱きながらホースＨの接続端部Ｈ１の外周面に沿って押え筒２をホース挿入方向へ摺接移動させ、それに伴ってホースＨの接続端部Ｈ１の内周面がホース挿入部１ｅの外周面に密接するように構成する。
また、その他の例としては図示しないが、押え筒２の内径がホースＨの外径と略同じ又はそれよりも大径に形成され、ニップル１のホース挿入部１ｅが挿入されたホースＨの接続端部Ｈ１を、押え筒２に挿入した後、工具などでカシメ加工して縮径変形させることにより、ホースＨの接続端部Ｈ１の内周面がホース挿入部１ｅの外周面に密接するように構成することも可能である。
【手続補正５】
【補正対象書類名】明細書
【補正対象項目名】００１８
【補正方法】変更
【補正の内容】
【００１８】
このようにホースＨの先端面Ｈ２の外周部分がビード部Ｈ３となって収容凹部１ｃへはみ出たとしても、収容凹部１ｂと接続筒体３の内周空間３ｓが押え筒２で仕切られるため、ホースＨのはみ出したビード部Ｈ３が接続筒体３の内周空間３ｓへ向けて飛び出さず、接続筒体３との接触が防止される。
それにより、接続筒体３に対してホースＨを回転自在で且つ抜け不能に接続することができる。
その結果、ホースＨのはみ出しによる回転不良が発生せず、ホースＨを回転させても捻れ変形しないから、ホースＨ内を通る流体の流量減少やホースＨの破損を防止できる。
【手続補正６】
【補正対象書類名】明細書
【補正対象項目名】００２２
【補正方法】変更
【補正の内容】
【００２２】
この実施例は、図１（ａ）（ｂ）に示すように、ニップル１のホース挿入部１ｅが挿入されたホースＨの接続端部Ｈ１を、その内径がホースＨの外径と略同じに形成された押え筒２に、工具などで嵌挿させることにより、ホースＨの接続端部Ｈ１をホース挿入方向へ扱きながらホースＨの接続端部Ｈ１の外周面に沿って押え筒２をホース挿入方向へ摺接移動させる場合を示すものである。